(57)【要約】【課題】例えば車両のサンルーフに適用して外来光の透過を制御する場合等において、視野角特性を充分に向上しつつ、像が二重写しにより見て取られる現象を抑制する。【解決手段】第１及び第２の積層体１２及び１３により液晶層１４を挟持して液晶セル１５が形成され、ＩＰＳ／ＦＦＳ方式により透過光を制御する調光フィルム１０であって、第１の積層体１２に設けられた線状電極２２Ｂの屈曲により第１及び第２のドメインＤＲ、ＤＬが形成され、線状電極２２Ｂの延長方向又は線状電極２２Ｂの繰り返し方向で、第１及び第２のドメインＤＲ、ＤＬの面積の比率が変化する。【選択図】図１
2018005187.tif 000002
【特許請求の範囲】
【請求項１】
第１及び第２の積層体により液晶層を挟持して液晶セルが形成され、
前記第１の積層体には少なくとも線状電極が設けられ、
前記第１の積層体に設けられた線状電極の屈曲により第１及び第２のドメインが、繰り返しピッチ５０μｍ以上３００μｍ以下により形成され、
前記線状電極の延長方向又は前記線状電極の繰り返し方向で、前記第１及び第２のドメインの面積の比率が変化する
調光フィルム。
【請求項２】
前記第１及び第２のドメインの面積の比率は、前記第１の積層体の中央部分で等しく、
前記第１及び第２のドメインの面積の比率の変化が、
前記中央部分から一方の側の周辺部分に向かうに従って、前記第１のドメインの面積の比率が徐々に増大し、前記中央部分から他方の側の周辺部分に向かうに従って、前記第１のドメインの面積の比率が徐々に減少する変化である
請求項１に記載の調光フィルム。
【請求項３】
前記第１及び第２のドイメインの幅が、
前記第１及び第２のドメインを横切る方向で、不規則に変化している
請求項２に記載の調光フィルム。
【請求項４】
請求項１、請求項２、請求項３の何れかに記載の調光フィルムを透明板材に積層して形成された
調光フィルムの積層体。
【請求項５】
請求項１、請求項２、請求項３の何れかに記載の調光フィルムを透明板材に積層して、前記第１及び第２のドメインの面積の比率が変化する方向が車幅方向となるように配置してサンルーフが形成された
車両。
【発明の詳細な説明】
【技術分野】
【０００１】
本発明は、例えば車両のサンルーフ等に適用して入射光の透過を制御する調光フィルムに関する。
【背景技術】
【０００２】
従来、例えば窓に貼り付けて外来光の透過を制御する調光フィルムに関する工夫が種々に提案されている（特許文献１、２）。このような調光フィルムの１つに、液晶を利用したものがある。この液晶を利用した調光フィルムは、透明電極、配向層を作製した透明フィルム材により液晶材料を挟持して液晶セルが作製され、この液晶セルを直線偏光板により挟持して作成される。これによりこの調光フィルムでは、液晶に印加する電界の可変により液晶の配向を可変して外来光を遮光したり透過したりし、さらには透過光量を可変したりし、これらにより外来光の透過を制御する。
【０００３】
この液晶セルの駆動には、液晶表示パネルについて提案されている種々の駆動方法を適用することができる。具体的には、例えばＴＮ（Ｔｗｉｓｔｅｄ  Ｎｅｍａｔｉｃ）方式、ＩＰＳ（Ｉｎ−Ｐｌａｃｅ−Ｓｗｉｔｃｈｉｎｇ）方式、ＶＡ（Ｖｉｒｔｉｃａｌ  Ａｌｉｇｎｍｅｎｔ）方式等の駆動方式を適用することができる。しかしながら調光フィルムは、例えば窓ガラスに貼り付けて種々の方向より見て取られる特長がある。これにより視野角依存性の少ないＩＰＳ方式により駆動することが好ましいと考えられる。
【０００４】
またこのＩＰＳ方式のうちの、ＦＦＳ（フリンジフィールドスイッチング）方式によれば、透過率を高くすることができ、これによりこの種の調光フィルムにおける液晶セルの駆動に適用して好ましいと考えられる。ここでＩＰＳ／ＦＦＳ方式は、液晶層を挟持する１対の基材のうちの一方の基材に駆動用の透明電極をまとめて作製する構成である。ＩＰＳ／ＦＦＳ方式では、この一方の基材の全面に、透明電極を作製した後、絶縁層を間に挟んで一定のピッチにより線状電極を作製し、この全面の透明電極と線状電極との間で発生する基材表面の面内方向の電界であるいわゆる横電界により液晶の配向を面内方向で制御する。
【０００５】
このＩＰＳ／ＦＦＳ方式の液晶表示パネルに関して特許文献３には、線状電極を屈曲させることにより、印加電圧に対して液晶分子の挙動が異なる領域を複数作成し、これによりマルチドメイン化して視野角特性を向上する方法が開示されている。
【０００６】
これにより調光フィルムにおいてＩＰＳ／ＦＦＳ方式を採用する場合には、マルチドメイン化することが考えられる。すなわちＩＰＳ／ＦＦＳ方式により調光フィルムを構成するようにして、マルチドメイン化しない場合（すなわちシングルドメインにより構成する場合）、見る方向（視野角）によって調光フィルムが黄色に色付いて見えるようになる。しかしながらマルチドメイン化すれば、このような視野角による色付を低減することができ、これにより視野角特性を向上することができる。
【０００７】
しかしながらこのようなマルチドメイン化においては、屈折率の異なる領域（ドメイン）を繰り返し密接して多数配置することにより、回折現象が顕著になる。調光フィルムでは、液晶表示パネルとは異なり、例えば窓に配置する場合等があることにより、調光フィルムに適用してマルチドメイン化により視野角特性を向上する場合、回折現象により窓越しに見て取られる風景等が二重写しの像により見て取られる問題がある。
【０００８】
ここでマルチドメインは、位相型回折格子と同様の、光学特性の異なる周期構造であることにより、１つのドメインの幅を狭くしてドメインを目視により視認できないようにすると、二重写しに係る像間の距離が広がることになり、二重写しが激しくなる。またこれにより１つのドメインの幅を大きくすれば二重写しに係る像間の距離を小さくして二重写しを低減できるものの、視野角特性が劣化し、さらにはドメインが視認されてしまうことになる。
【０００９】
これらにより従来の調光フィルムにおいては、ＩＰＳ／ＦＦＳ方式を採用して視野角による色付を低減しようとすると、風景等が二重写しの像により見て取られる問題があった。
【先行技術文献】
【特許文献】
【００１０】
【特許文献１】特開平０３−４７３９２号公報
【特許文献２】特開平０８−１８４２７３号公報
【特許文献３】国際公開第２０１３／０２１９２９号
【発明の概要】
【発明が解決しようとする課題】
【００１１】
本発明はこのような状況に鑑みてなされたものであり、例えば車両のサンルーフに適用して外来光の透過を制御する場合等において、視野角による色付を低減しつつ、像が二重写しにより見て取られる現象を抑制することを目的とする。
【課題を解決するための手段】
【００１２】
本発明者は、上記課題を解決するために鋭意研究を重ね、ドメインの面積の比率を調整する、との着想に至り、本発明を完成するに至った。
【００１３】
（１）  第１及び第２の積層体により液晶層を挟持して液晶セルが形成され、
前記第１の積層体には少なくとも線状電極が設けられ、
前記第１の積層体に設けられた線状電極の屈曲により第１及び第２のドメインが、繰り返しピッチ５０μｍ以上３００μｍ以下により形成され、
前記線状電極の延長方向又は前記線状電極の繰り返し方向で、前記第１及び第２のドメインの面積の比率が変化する調光フィルム。
【００１４】
（１）によれば、像の２重写しが余り気にならない例えば真上方向では、第１及び第２のドメインの面積の比率を等しくて視野角特性を向上し、像の二重写しが気になる真上から遠ざかった部位では、シングルドメインに特性を近づけて二重写しを低減し、これらにより視野角特性を充分に向上しつつ、像が二重写しにより見て取られる現象を実用上充分に抑制することができる。
【００１５】
（２）  （１）において、
前記第１及び第２のドメインの面積の比率は、前記第１の積層体の中央部分で等しく、
前記第１及び第２のドメインの面積の比率の変化が、
前記中央部分から一方の側の周辺部分に向かうに従って、前記第１のドメインの面積の比率が増大し、前記中央部分から他方の側の周辺部分に向かうに従って、前記第１のドメインの面積の比率が減少する変化である調光フィルム。
【００１６】
（２）によれば、より具体的構成により、視野角特性を充分に向上しつつ、像が二重写しにより見て取られる現象を実用上充分に抑制することができる。
【００１７】
（３）  （２）において、
前記第１及び第２のドイメインの幅が、
前記第１及び第２のドメインを横切る方向で、不規則に変化している調光フィルム。
【００１８】
（３）によれば、ドメイン幅の規則性を緩和できることにより、一段と像の二重写しを低減することができる。
【００１９】
（４）  （１）、（２）、（３）の何れかに記載の調光フィルムを透明板材に積層して形成された調光フィルムの積層体。
【００２０】
（４）によれば、例えば車両のサンルーフに適用する場合に、視野角特性を充分に向上しつつ、像が二重写しにより見て取られる現象を実用上充分に抑制することができる。
【００２１】
（５）  （１）、（２）、（３）の何れかに記載の調光フィルムを透明板材に積層して、前記第１及び第２のドメインの面積の比率が変化する方向が車幅方向となるように配置してサンルーフが形成された車両。
【００２２】
（５）によれば、車両のサンルーフに適用して、視野角特性を充分に向上しつつ、像が二重写しにより見て取られる現象を実用上充分に抑制することができる。
【発明の効果】
【００２３】
本発明によれば、例えば車両のサンルーフに適用して外来光の透過を制御する場合等において、ＩＰＳ／ＦＦＳ方式を採用して視野角による色付を低減しつつ、像が二重写しにより見て取られる現象を抑制することができる。
【図面の簡単な説明】
【００２４】
【図１】本発明の第１実施形態に係る車両の説明に供する図である。
【図２】図１の車両の天窓に適用される調光フィルムを示す断面図である。
【図３】図２の調光フィルムのマルチドイメインの説明に供する図である。
【図４】図２の調光フィルムにおけるドメインの説明に供する図である。
【図５】本発明の第２実施形態に係る調光フィルムの説明に供する特性曲線図である。
【図６】調光フィルムＡの撮像結果を示す図である。
【図７】調光フィルムＣの撮像結果を示す図である。
【図８】調光フィルムＤの撮像結果を示す図である。
【図９】調光フィルムＥの撮像結果を示す図である。
【図１０】調光フィルムＦの撮像結果を示す図である。
【図１１】調光フィルムＧの撮像結果を示す図である。
【図１２】調光フィルムＨの撮像結果を示す図である。
【発明を実施するための形態】
【００２５】
〔第１実施形態〕
〔車両〕
図１は、本発明の第１実施形態に係る車両の説明に供する図である。なおこの図１においては、矢印Ａにより車両１の前方方向（Ｘ方向）を示す。この車両１は、運転手２及び助手席搭乗者３の２名が前席に乗車可能に構成され、後席に３名の搭乗者４、５、６が搭乗できるように構成される。この車両１は、これら前席及び後席の搭乗者２〜６の頭上を覆うようにサンルーフ（天窓）に係る開口７が設けられ、この開口７に調光フィルムの積層体８が配置されてサンルーフが形成される。なおここでサンルーフは、車両のルーフに設けられる外光入射用の透光部である。
【００２６】
ここでこのサンルーフに係る調光フィルムの積層体８は、開口７を閉塞する板ガラス等による透明板材９に、粘着剤、接着剤等により調光フィルム１０を貼り付けて形成され、これによりサンルーフは、この調光フィルム１０における透過光量の制御により、透過光量を種々に制御できるように構成される。
【００２７】
〔調光フィルム〕
図２は、調光フィルム１０を示す断面図である。この調光フィルム１０は、ＩＰＳ／ＦＦＳ方式の調光フィルムであり、印加電圧の可変により透過光の光量を制御する。調光フィルム１０は、フィルム形状により形成され、それぞれフィルム形状の第１及び第２の積層体である下側積層体１３及び上側積層体１２により液晶材料を挟持して液晶セル１５が作製され、この液晶セル１５を直線偏光板１６、１７により挟持して作成される。ここで液晶セル１５は、ＩＰＳ／ＦＦＳ方式により液晶層１４に係る液晶分子１４Ａを駆動する横電界方式の液晶セルであり、直線偏光板１６、１７がクロスニコル配置により配置される。これにより下側積層体１３は、基材２１Ａの全面に、ＩＰＳ／ＦＦＳ方式に係る透明電極２２Ａ（面状電極）が形成され、絶縁層２３を間に挟んで透明の線状電極２２Ｂが形成され、続いて配向層２４Ａが設けられる。また上側積層体１２は、基材２１Ｂに配向層２４Ｂが設けられる。
【００２８】
直線偏光板１６、１７は、それぞれ液晶セル１５側に光学補償に供する位相差フィルム１８、１９が設けられる。なお位相差フィルム１８、１９は、必要に応じて省略してもよい。これによりこの調光フィルム１０は、電極２２Ａ、２２Ｂ間の印加電圧の可変により、液晶層１４に係る液晶分子１４Ａの配向方向を可変して入射光の透過を制御するように構成される。なお調光フィルム１０は、直線偏光板１６、１７の液晶セル１５とは逆側の面に、ハードコート層等による保護層が設けられる。
【００２９】
調光フィルム１０には、液晶層１４の厚みを一定に保持するためのスペーサー２７がフォトレジストにより下側積層体１３に設けられる。すなわち調光フィルム１０は、線状電極２２Ｂを作製した後、フォトレジストの塗工液を塗工して乾燥、露光、現像することによりスペーサー２７が作製される。なおスペーサー２７は、上側積層体１２の側に作製してもよく、上側積層体１２及び下側積層体１３の双方に作製するようにしてもよい。また配向層の上に作製してもよい。なおスペーサーは、ビーズスペーサーを適用してもよい。
【００３０】
さらに調光フィルム１０には、液晶層１４を囲む枠形状によりシール材２５が配置され、このシール材２５により液晶層１４に係る液晶の漏出が防止され、さらには上側積層体１２及び下側積層体１３が一体に保持される。
【００３１】
ここで基材２１Ａ、２１Ｂは、液晶セル１５に適用可能な可撓性を有する各種の透明フィルム材を適用することができ、この実施形態では、両面にハードコート層が作製されてなるポリカーボネート等によるフィルム材が適用される。電極２２Ａ、２２Ｂは、透明と知覚される種々の構成を広く適用することができ、この実施形態では、透明電極材であるＩＴＯ（Ｉｎｄｉｕｍ  Ｔｉｎ  Ｏｘｉｄｅ）による透明導電膜を基材２１Ａの全面に作製して電極２２Ａが作製される。また同様にして基材２１Ａの全面にＩＴＯによる透明導電膜を作製した後、パターニングして線状電極２２Ｂが作製される。
【００３２】
絶縁層２３は、この種の液晶セルに適用可能な各種の透明絶縁材料を適用することができ、各種の無機材料、有機材料を適用することができるものの、この実施形態では有機材料による絶縁材料が適用される。
【００３３】
配向層２４Ａ、２４Ｂは、光配向層により形成される。ここでこの光配向層に適用可能な光配向材料は、光配向の手法を適用可能な各種の材料を広く適用することができるものの、この実施形態では、例えば光２量化型の材料を使用する。この光２量化型の材料については、「Ｍ．Ｓｃｈａｄｔ，  Ｋ．Ｓｃｈｍｉｔｔ，  Ｖ．  Ｋｏｚｉｎｋｏｖ  ａｎｄ  Ｖ．  Ｃｈｉｇｒｉｎｏｖ  ：  Ｊｐｎ．  Ｊ．  Ａｐｐｌ．Ｐｈｙｓ．，  ３１，  ２１５５  （１９９２）」、「Ｍ．  Ｓｃｈａｄｔ，  Ｈ．  Ｓｅｉｂｅｒｌｅ  ａｎｄ  Ａ．  Ｓｃｈｕｓｔｅｒ  ：  Ｎａｔｕｒｅ，  ３８１，  ２１２（１９９６）」等に開示されている。なお光配向層に代えて、ラビング処理により作製してもよい。ラビング処理により作製する場合、配向層２４Ａ、２４Ｂは、ポリイミド等の配向層に適用可能な各種材料層を作製した後、この材料層の表面にラビングロールを使用したラビング処理により微細なライン状凹凸形状を作製して形成される。またこのようなラビング処理による配向層、光配向層に代えて、ラビング処理により作製した微細なライン状凹凸形状を賦型処理により作製して配向層を作製してもよい。
【００３４】
液晶層１４には、この種の調光フィルムに適用される各種の液晶材料を広く適用することができる。具体的に、液晶層１４には、例えばメルク社製ＭＬＣ２１６６等の液晶材料を適用することができる。シール材２５は、液晶の漏出を防止すると共に、上側積層体１２及び下側積層体１３を一体に保持可能な種々の材料を適用することができるものの、この実施形態では、例えばエポキシ樹脂剤による熱硬化型樹脂やアクリル樹脂剤による紫外線硬化樹脂、熱及び紫外線で硬化する硬化樹脂等が適用される。
【００３５】
直線偏光板１６、１７は、いわゆるシート・ポラライザーであり、ポリビニルアルコール（ＰＶＡ）にヨウ素等を含浸させた後、延伸して偏光子としての光学的機能を果たす光学機能層が形成され、ＴＡＣ（トリアセチルセルロース）等の透明フィルム材による基材により光学機能層を挟持して作製される。
【００３６】
〔マルチドメイン化〕
図３は、マルチドメイン化の説明に供する図であり、直線偏光板１７の側から下側積層体１３を見て示す図である。調光フィルム１０は、この下側積層体１３が、車両の屋内側となる向きにより透明板材９に配置される。これによりこの図３の構成は、車内より調光フィルム１０を拡大して見た状態の図である。
【００３７】
調光フィルム１０では、車両１の幅方向に延長するように線状電極２２Ｂが作製される。また線状電極２２Ｂは、延長方向と直交する方向に一定のピッチＰで作製される。調光フィルム１０は、無電界時、この線状電極２２Ｂの延長方向が液晶分子１４Ａの長軸方向となる向きに液晶分子１４Ａが配向するように（破線により液晶分子を示す状態である）、配向層２４Ａ、２４Ｂに配向規制力が設定される。調光フィルム１０では、この状態で遮光状態を形成するように、この状態における液晶分子１４Ａの長軸方向が透過軸方向又は吸収軸方向となる向きに直線偏光板１６が配置され、またこの直線偏光板１６とクロスニコルを構成するように直線偏光板１７が配置され、これによりノーマリブラックにより構成される。なおこれにより直線偏光板１６、１７は、この線状電極２２Ｂの延長方向が吸収軸方向又は透過軸方向となる向きに配置される。
【００３８】
線状電極２２Ｂは、延長方向に対して反時計方向に斜めに傾いた直線状部位Ｒと、時計方向に斜めに傾いた直線状部位Ｌとが、線状電極２２Ｂの延長方向に交互に繰り返すように作製される。これにより線状電極２２Ｂは、ジグザグに屈曲して作製されて、延長方向に対して三角波形状により蛇行するように形成される。またこのような屈曲が隣接する線状電極２２Ｂで揃うように作製される。
【００３９】
ここで反時計方向に斜めに傾いた直線状部位Ｒでは、透明電極２２Ａと線状電極２２Ｂとの間への電圧の印加により、この斜めに傾く直線状部位Ｒの線状電極２２Ｂと直交する方向に電界が形成され、液晶分子１４Ａは、矢印により示すように、時計方向（右回り方向）に回転して長軸方向の向きを変化させる。これに対して時計方向に斜めに傾いた直線状部位Ｌでは、透明電極２２Ａと線状電極２２Ｂとの間への電圧の印加により、この斜めに傾く直線状部位Ｌの線状電極２２Ｂと直交する方向に電界が形成され、矢印により示すように、液晶分子１４Ａは反時計方向（左回り方向）に回転して長軸方向の向きを変化させる。これにより調光フィルム１０では、線状電極２２Ｂへの印加電圧により液晶分子１４Ａの挙動である液晶分子１４Ａの回転方向が異なる第１及び第２のドメインＤＲ、ＤＬが線状電極２２Ｂの傾きにより交互に形成される。これにより調光フィルム１０では、線状電極２２Ｂを三角波形状により蛇行させてマルチドメイン化が図られる。
【００４０】
ここで調光フィルム１０では、この透明電極２２Ａと線状電極２２Ｂとの間への電圧の印加により、液晶分子１４Ａの長軸方向が線状電極２２Ｂの延長方向に対して最大で斜め４５度の角度の成すように作製され、これにより調光時、充分な透過率を確保できるように構成される。
【００４１】
〔ドメインの面積の設定〕
調光フィルム１０は、第１及び第２のドメインＤＲ及びＤＬの幅ＷＲ及びＷＬの比率が、線状電極２２Ｂの延長方向で変化するように設定される。具体的に、この実施形態において、調光フィルム１０は、第１及び第２のドメインＤＲ及びＤＬの幅ＷＲ及びＷＬの比率が、車両１の幅方向である調光フィルム１０の幅方向で変化するように設定され、これによりこの幅方向で、第１及び第２のドメインＤＲ及びＤＬにおいては、面積の比率が変化するように設定される。
【００４２】
より具体的には、図４において符号Ａにより示すように、座席より正面方向Ｘを見て左端側（図１においてＹ方向である）では、幅ＷＲ及びＷＬの比率が１：０となるように、また幅方向の中央部分では幅ＷＲ及びＷＬの比率が１：１となるように、さらに幅方向の右端側では幅ＷＲ及びＷＬの比率が０：１となるように、さらにこのような比率が幅方向において直線的に変化するように設定される。これらにより幅ＷＬ、ＷＲの比率の設定に対応するように、第１及び第２のドメインＤＲ及びＤＬの面積の割合が変化するように設定される。しかしてこの左手側端及び右手側端において、比率１の側であるドメインＤＲ及びＤＬは、それぞれ電界の印加により液晶分子の長軸方向が後席中央の方向を向くドメインである。
【００４３】
なおこれにより図１に示すように、車内より見て調光フィルム１０の左端及び右端に沿った領域では、それぞれ第１又は第２のドメインＲ又はＬのみが設けられ、また中央領域では第１及び第２のドメインＤＲ及びＤＬが１：１の比率により設けられ、これら左端領域、中央領域、右端領域間で、第１及び第２のドメインＤＲ及びＤＬの面積が相補的に変化するように設定される。なお図１においては、電界の印加により回転する液晶分子の回転方向を矢印により示すようにして、対応するドメインＬ、Ｒの面積の大小によりこの矢印の大きさを変化させて示す。これにより調光フィルム１０は、電界の印加により、左端は時計回り（左回り）に液晶分子が回転し、右端は反時計回り（右回り）に液晶分子が回転するように作製される。
【００４４】
このように比率を変化させるようにして、調光フィルム１０では、隣接する１対のドメインＤＲ及びＤＬが対を成し、この対を成す第１及び第２のドメインＤＲ及びＤＬの幅ＷＲ、ＷＬの加算値の平均値である、ドメインの繰り返しピッチが、５０μｍ以上３００μｍ以下に設定され、好ましくは１００μｍ以上２５０μｍ以下に設定され、より好ましくは１５０μｍ以上２００μｍ以下に設定される。これらによりこの実施形態では、視野角特性を充分に向上しつつ、像が二重写しにより見て取られる現象を実用上充分に抑制する。
【００４５】
調光フィルム１０では、またこのようにして各ドメイン対の幅ＷＬＲを、ドメインＤＲ、ＤＬの連続する方法で不規則に変化させ、これによりドイメインの繰り返しに係る規則性を緩和し、さらに像が二重写しにより見て取られる現象を低減するように構成される。具体的に、このように不規則に変化させると、第１及び第２のドメインＤＲ及びＤＬの幅ＷＲ、ＷＬは、ばらつくことになる。ここでこのばらつきにより規則性を充分に緩和できるように、幅ＷＲ、ＷＬのバラツキは、標準偏差（σ）が７０μｍ以上１００μｍ以下により、より好ましくは７５μｍ以上９５μｍ以下に設定される。
【００４６】
なおこのドメイン対の幅ＷＬＲの不規則な変化は、第１及び第２のドメインＤＲ及びＤＬの幅ＷＲ、ＷＬがほぼ１：１である部位（中央の部分）のみに設けるようにしてもよく、この部位を含む一定範囲にのみ設けるようにしてもよい。またこの不規則な変化を重み付けして、中央部分でドメイン対の幅ＷＬＲが最も大きくばらつくようにし、左端及び右端に近づくに従って徐々にばらつきが小さくなるように設定してもよい。このようにすれば、一段と違和感なくドメインの繰り返しに係る規則性を緩和し、視野角特性を充分に向上しつつ、像が二重写しにより見て取られる現象を実用上充分に抑制する。
【００４７】
またこのようにバラツキを設定して、同一幅によるドメイン対の連続により局所的に規則性が担保されることが無いように、ほぼ同一幅によるドメイン対（幅ＷＬＲの差分絶対値が５μｍ以下の場合である）が５本以上連続しないように設定される。
【００４８】
すなわち第１及び第２のドメインＤＲ及びＤＬの幅ＷＲ及びＷＬの比率を１：１に設定した状態で、ドメインの繰り返しピッチを可変して調査した結果、ドメインの繰り返しピッチを３００μｍ以下、好ましくは２５０μｍ以下、より好ましくは２００μｍ以下に設定することにより、各方向から見て隣接する２つのドメインにおける透過光量の差異を視認できないようにすることができ、これによりマルチドメイン化により視野角特性を向上して視野角の変化による色付を防止することができる。
【００４９】
しかしながら単純にドメインの繰り返しピッチを小さくしたのでは、ドメインの周期構造による回折により、調光フィルム越しに見る風景が２重写しにより見て取られる。ここでこの２重写しにあっては、ドメインの周期構造による回折光により発生するものであり、ドメインの繰り返しピッチが小さくなればなる程、２重写しに係る像間の距離が大きくなり、２重写しが激しくなって目立つようになる。ドメインの繰り返しピッチを種々に設定してこの２重写しの程度を検討したところ、ドメインの繰り返しピッチを５０μｍ以上に設定して、好ましくは１００μｍ以上に設定して、より好ましくは１５０μｍ以上に設定して、２重写しを低減することができる。
【００５０】
しかしながらこのようにドメインの繰り返しピッチを設定した場合にあって、像の２重写しを実用上充分に低減できるのは、サンルーフの幅方向の中央部分についてであり、車幅方向の両側面部については、実用上未だ不充分なことが判った。すなわちこのようなサンルーフにおいては、前席の搭乗者は前方を向いて着席していることにより、殆んどの場合、サンルーフからは前方方向を見ることになる。またこれにより前席の搭乗者は、殆んど、サンルーフからは後方を見ることは無いと言える。また後席の搭乗者にあっても、その多くがサンルーフより前方方向を見ることになる。
【００５１】
このようにして前方方向を主に見る場合にあって、幅方向に係る中央部分で前方方向を見て取られる風景は、多くが空であり、この場合、２重写しにより雲等が見て取られても、多くは何ら気にならないと言える。またこの場合、雲等が見て取られることにより、この幅方向の中央部分にあっては、２重写しを改善するよりも視野角特性の向上を図る方が望ましいと言える。これにより幅方向の中央部分にあっては、上述の繰り返しピッチの設定を前提に、ドメインＤＲ及びＤＬの幅ＷＲ及びＷＬの比率が１：１に設定される。
【００５２】
これに対して幅方向の両端部では、道路の両側に設けられた各種の構造物、信号、標識等が見て取られることになり、中央部分に比して像の２重写しが格段に目立つようになる。ここでマルチドメインに代えてシングルドメインの構造を採用すると、このようなドメインの周期構造による回折現象が発生しないことにより、像の２重写しを防止することができる。またこの場合に、この実施形態では、幅方向の左端側及び右端側が、前方方向から時計方向及び反時計方向に４５度の方向に液晶分子が配向する方向であることにより、透過光量を充分に確保して像の２重写しを防止することができる。
【００５３】
またこのように幅方向の左端側及び右端側に向かって、中央部分から徐々に２つのドメインの面積の比率（割合）が変化するように設定すれば、このように中央部分と左端側及び右端側とで比率を設定するようにして、この比率（割合）の設定による光学特性の幅方向における変化を知覚できないようにすることができ、これによりユーザーに違和感を知覚させないようにすることができる。
【００５４】
またさらにこの実施形態では、中央部分の左右で、第１及び第２のドメインＤＲ及びＤＬにおける割合の変化が対称形状の特性曲線を示すように設定され、これによってもユーザーに違和感を知覚させないようにすることができる。
【００５５】
またさらにこのようにドメインの面積を変化させて、左手側端及び右手側端において、比率１の側であるドメインＤＲ及びＤＬが、それぞれ電界の印加により液晶分子の長軸方向が後席中央を向く側のドメインであることにより、透過光量の低下を有効に回避することができる。
【００５６】
なお図４では符号Ａにより示す直線的な比率の変化に代えて、符号Ｂにより示すように、曲線形状により比率を変化させてもよい。
【００５７】
以上の構成によれば、線状電極の屈曲により第１及び第２のドメインを形成するようにして、線状電極の延長方向で、第１及び第２のドメインの面積の比率を変化させることにより、ＩＰＳ／ＦＦＳ方式を採用して視野角による色付を低減しつつ、像が二重写しにより見て取られる現象を抑制することができる。
【００５８】
〔第２実施形態〕
図５は、図４との対比により、この実施形態に係るドメインの設定の説明に供する図である。この実施形態では、この図５に示すドメインの設定が異なる点を除いて、上述の実施形態と同一に構成される。
【００５９】
ここでこの実施形態では、車幅方向に、第１又は第２のドメインＤＲ又はＤＬの幅ＷＲ又はＷＬの移動平均値が設定される。具体的に、第１実施形態について上述したと同様に、一方の端部から他方の端部に向かうに従って、第１のドメインＤＲの割合が増大するように、左端及び右端では、第１又は第２のドメインＤＲ又はＤＬのみとなり、中央では第１及び第２のドメインＤＲ及びＤＬの面積が１：１になるように、第１及び第２のドメインＤＲ及びＤＬの幅ＷＲ、ＷＬが設定され、これにより第１又は第２のドメインＤＲ又はＤＬの幅ＷＲ又はＷＬの移動平均値が設定される（図４において符号Ａにより示す特性曲線である）。なおここで移動平均に供する区間は、例えば５ドメインの区間である。
【００６０】
この実施形態では、このように移動平均値を設定して、この移動平均値による基準値から、図５において、符号Ｃにより示すように、正方向及び負方向に、ランダムに各部における面積の比率が変化するように設定される。ここでこの移動平均による特性曲線からのランダムな変化は、変化量が、第１及び第２の繰り返しピッチ（ＷＬＲ）の１０％以上５０％以下、好ましくは２０％以上３０％以下に設定される。これによりこの実施形態では、ドメインの面積の変化に係る規則性を一段と緩和する。
【００６１】
この実施形態では、このようにして設定されたドメイン幅ＷＲ、ＷＬにより各ドメインが作製される。これによりこの実施形態では、一段と像の二重写しを低減する。なおこのドメイン幅の規則性の緩和は、第１及び第２のドメイン幅ＷＲ、ＷＬを一定値に保持するようにして、第１及び第２のドメインン幅を相補的に変化させて設定してもよく、またこれに代えて第１及び第２のドメイン幅の一方又は双方を単純に変化させて実行してもよい。
【００６２】
なおこのドメイン幅ＷＲ、ＷＬの設定にあっては、このように車幅方向に規則性の緩和に代えて、又は車幅方向における規則性の緩和に加えて、ドメインの長さ方向に規則性を緩和するようにしてもよい。なおこのドメインの長さ方向に規則性の緩和にあっては、例えばドメインの幅を車両の長さ方向で変化させるようにしてもよく、ドメイン境界を蛇行させるようにしてもよい。
【００６３】
表１は、この規則性の緩和の実験に供した試料の説明に供する図表である。この実験において、調光フィルムＡは、シングルドメインにより作製した。線状電極２２Ｂの電極幅は６．０μｍとした。また調光フィルムＢは、線状電極２２Ｂの電極幅を６．０μｍ〜８．０μｍの範囲でランダムに可変し、これにより電極幅の規則性を緩和して、シングルドメインにより作製した。
【００６４】
【表１】
2018005187.tif 000003
【００６５】
調光フィルムＣ〜Ｈは、線状電極２２Ｂの電極幅を６．０μｍとして作製した。調光フィルムＣは、第１及び第２のドメインＤＲ及びＤＬの幅ＷＲ、Ｗｌについて、ＷＲ＝ＷＬの条件で幅ＷＲ、ＷＬを２００μｍ〜３００μｍの範囲で徐々に可変した。調光フィルムＤは、第２のドメインＬの幅ＷＬを２５０μｍに固定し、第１のドメインＲの幅ＷＲを２００μｍ〜３００μｍの範囲で徐々に可変した
【００６６】
調光フィルムＥは、第１及び第２のドメインＤＲ及びＤＬの幅ＷＲ及びＷＬを共に２５０μｍとした。調光フィルムＦは、第１及び第２のドメインＤＲ及びＤＬの幅ＷＲ及びＷＬを２００μｍ及び３００μｍとした。調光フィルムＧは、ドメイン対における第１及び第２のドメインＤＲ及びＤＬの幅ＷＲ及びＷＬの加算値ＷＬＲを５００μｍに保持するようにして、第１及び第２のドメインＤＲ及びＤＬの幅ＷＲ及びＷＬを２００、２５０、３００μｍでランダムに設定した。調光フィルムＨは、第１及び第２のドメインＤＲ及びＤＬの幅ＷＲ及びＷＬを４００μ及び１００μｍに設定した。
【００６７】
図６、図７、図８、図９、図１０、図１１、図１２は、これら調光フィルムＡ、Ｃ、Ｄ、Ｅ、Ｆ、Ｇ、Ｈによる像の二重写しの確認に供する写真である。この写真は、この写真に係る書面を調光フィルムを介して撮影した結果である。なおこの撮影では、被写体である書面から距離１５００ｍｍだけ離間して調光フィルムを配置し、この調光フィルムから距離１００ｍｍだけ離間した箇所に撮像装置を配置した。この撮像結果によれば、調光フィルムＨで充分に像の二重写しが小さくなることが確認される。またドメイン幅を可変して像の二重写しが小さくなることを確認することができる。
【００６８】
この実施形態では、さらにドメイン幅を不規則に可変することにより、一段と像の二重写しを低減することができる。
【００６９】
〔他の実施形態〕
以上、本発明の実施に好適な具体的な構成を詳述したが、本発明は、本発明の趣旨を逸脱しない範囲で、上述の実施形態を種々に組み合わせたり、種々に変更することができる。
【００７０】
すなわち上述の実施形態では、液晶材料を間に挟んで２つの積層体１２、１３を積層一体化して液晶セルを作製する場合について述べたが、本発明はこれに限らず、２つの積層体を積層一体化した後、この２つの積層体１２、１３の間に液晶材料を配置して液晶セルを作製する場合にも広く適用することができる。
【００７１】
また上述の実施形態では、線状電極の延長方向について、第１及び第２のドメインの面積の比率を変化させる場合について述べたが、本発明はこれに限らず、線状電極の繰り返し方向について、第１及び第２のドメインの面積の比率を変化させるようにしてもよい。
【００７２】
また上述の実施形態では、調光フィルムを積層対象に貼り付けて積層する場合について述べたが、本発明はこれに限らず、例えば合わせガラスのように、積層対象により挟持して加圧一体化して調光フィルムの積層体を構成する場合等にも広く適用することができる。
【符号の説明】
【００７３】
１  車両
２、３、４、５、６  搭乗者
７  開口
８  調光フィルムの積層体
９  透明板材
１０  調光フィルム
１２  上側積層体（第１の積層体）
１３  下側積層体（第２の積層体）
１４  液晶層
１４Ａ  液晶分子
１５  液晶セル
１６、１７  直線偏光板
１８、１９  位相差フィルム
２１Ａ、２１Ｂ  基材
２２Ａ  電極
２２Ｂ  線状電極
２３  絶縁層
２４Ａ、２４Ｂ  配向層
２５  シール材
２７  スペーサー
【図１】
2018005187.tif 000004
【図２】
2018005187.tif 000005
【図３】
2018005187.tif 000006
【図４】
2018005187.tif 000007
【図５】
2018005187.tif 000008
【図６】
2018005187.tif 000009
【図７】
2018005187.tif 000010
【図８】
2018005187.tif 000011
【図９】
2018005187.tif 000012
【図１０】
2018005187.tif 000013
【図１１】
2018005187.tif 000014
【図１２】
2018005187.tif 000015
【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
第１及び第２の積層体により液晶層を挟持して液晶セルが形成され、
前記第１の積層体には少なくとも線状電極が設けられ、
前記第１の積層体に設けられた線状電極の屈曲により第１及び第２のドメインが、繰り返しピッチ５０μｍ以上３００μｍ以下により形成され、
前記線状電極の延長方向又は前記線状電極の繰り返し方向で、前記第１及び第２のドメインの面積の比率が変化し、
前記第１及び第２のドメインの面積の比率は、前記第１の積層体の中央部分で等しく、
前記第１及び第２のドメインの面積の比率の変化が、
前記中央部分から一方の側の周辺部分に向かうに従って、前記第１のドメインの面積の比率が徐々に増大し、前記中央部分から他方の側の周辺部分に向かうに従って、前記第１のドメインの面積の比率が徐々に減少する変化である
調光フィルム。
【請求項２】
前記第１及び第２のドイメインの幅が、
前記第１及び第２のドメインを横切る方向で、不規則に変化している
請求項１に記載の調光フィルム。
【請求項３】
請求項１、請求項２の何れかに記載の調光フィルムを透明板材に積層して形成された
調光フィルムの積層体。
【請求項４】
請求項１、請求項２の何れかに記載の調光フィルムを透明板材に積層して、前記第１及び第２のドメインの面積の比率が変化する方向が車幅方向となるように配置してサンルーフが形成された
車両。